(57)【特許請求の範囲】
【請求項１】
客用表示器が設けられた基体部と、
前記基体部に設けられた張出部と、
前記張出部に回動可能に取り付けられた操作者用表示器と、
前記張出部に前記操作者用表示器とともに回動可能に取り付けられたスキャナと、
前記操作者用表示器を前記基体部に回動可能に連結した連結機構と、
前記操作者用表示器の回動に連動して前記スキャナを前記操作者用表示器と同じ方向に回動させる連動部と、
を備え、
前記連結機構は、前記操作者用表示器に一体に設けられた第１の回動体と、前記基体部に設けられ、前記第１の回動体を回動可能に支持した第１の支持部と、を有し、
前記連動部は、前記スキャナに一体に設けられた第２の回動体と、前記基体部に設けられ、前記第２の回動体を回動可能に支持した第２の支持部と、前記第１の回動体と前記第２の回動体とを連結した連結部と、を有する、表示器付きスキャナ。
【請求項２】
客用表示器が設けられた基体部と、
前記基体部に設けられた張出部と、
前記張出部に回動可能に取り付けられた操作者用表示器と、
前記張出部に前記操作者用表示器とともに回動可能に取り付けられたスキャナと、
を備え、
前記基体部は、側面視で扇状の扇状部を有し、
前記客用表示器は、前記扇状部に設けられ、
前記張出部は、前記扇状部の上端部から張り出した、表示器付きスキャナ。
【請求項３】
前記操作者用表示器は、表示画面を有し、
前記客用表示器は、前記操作者用表示器の前記表示画面とは反対側に位置する請求項１または２に記載の表示器付きスキャナ。
【請求項４】
前記基体部は、側面視で扇状の扇状部を有し、
前記客用表示器は、前記扇状部に設けられ、
前記張出部は、前記扇状部の上端部から張り出した請求項１に記載の表示器付きスキャナ。
【請求項５】
前記扇状部は、正面壁と、前記正面壁の上端部から後方へ延出し円弧状に湾曲した湾曲壁と、を有し、
前記客用表示器は、前記湾曲壁に設けられた請求項２または４に記載の表示器付きスキャナ。
【請求項６】
請求項１ないし５のいずれか一項に記載の表示器付きスキャナと、
商品識別情報が前記スキャナによって読み取られた商品を、記憶部に登録する情報処理部と、
を備える商品販売データ処理装置。
【発明の詳細な説明】
【技術分野】
【０００１】
本発明は、表示器付きスキャナ及び商品販売データ処理装置に関する。
【背景技術】
【０００２】
従来、商品コードを読み取るスキャナと、スキャナによって商品コードが読み取られた商品の情報を表示する表示器と、これのスキャナ及び表示器を支持した基体部と、を備え、スーパーマーケット等の小売店で使用される表示器付きスキャナがある。例えば、特許文献１には、表示器を水平方向に沿った軸を中心に回動可能にしたものが開示されている。
【発明の概要】
【発明が解決しようとする課題】
【０００３】
ところで、店舗の大きさや店舗内の什器等は、店舗によって様々であるため、表示器付きスキャナも様々な場所に設置できるようにしたいという要望がある。しかしながら、上記従来の表示器付きスキャナでは、表示器を対面する客に対する表示器の角度は変えられるが、設置場所の自由度は小さいという問題がある。
【０００４】
本発明は、上記に鑑みてなされたものであって、設置場所の自由度が比較的大きい表示器付きスキャナ及びこの表示器付きスキャナを備えた商品販売データ処理装置を提供することを目的とする。
【課題を解決するための手段】
【０００５】
上述した課題を解決し、目的を達成するために、本発明の表示器付きスキャナは、客用表示器が設けられた基体部と、前記基体部に設けられた張出部と、前記張出部に回動可能に取り付けられた操作者用表示器と、前記張出部に前記操作者用表示器とともに回動可能に取り付けられたスキャナと、前記操作者用表示器を前記基体部に回動可能に連結した連結機構と、前記操作者用表示器の回動に連動して前記スキャナを前記操作者用表示器と同じ方向に回動させる連動部と、を備え、前記連結機構は、前記操作者用表示器に一体に設けられた第１の回動体と、前記基体部に設けられ、前記第１の回動体を回動可能に支持した第１の支持部と、を有し、前記連動部は、前記スキャナに一体に設けられた第２の回動体と、前記基体部に設けられ、前記第２の回動体を回動可能に支持した第２の支持部と、前記第１の回動体と前記第２の回動体とを連結した連結部と、を有する。
【０００６】
また、本発明の商品販売データ処理装置は、前記表示器付きスキャナと、前記商品識別情報が前記スキャナによって読み取られた商品を、記憶部に登録する情報処理部と、を備える。
【発明の効果】
【０００７】
本発明によれば、設置場所の自由度が比較的大きい表示器付きスキャナ及び商品販売データ処理装置を提供することができる。
【図面の簡単な説明】
【０００８】
【図１】図１は、本発明の第１の実施の形態にかかる商品販売データ処理装置を示す斜視図である。
【図２】図２は、商品販売データ処理装置を背面側から見て示す斜視図である。
【図３】図３は、商品販売データ処理装置の表示器及びスキャナを側方に向けた状態を示す斜視図である。
【図４】図４は、商品販売データ処理装置を示す側面図である。
【図５】図５は、商品販売データ処理装置を示す正面図である。
【図６】図６は、商品販売データ処理装置を示す背面図である。
【図７】図７は、商品販売データ処理装置を示す平面図である。
【図８】図８は、商品販売データ処理装置の構成を示す模式図である。
【図９】図９は、図４の矢印Ａ方向で見た連結機構を示す断面図である。
【図１０】図１０は、本発明の第２の実施の形態の商品販売データ処理装置の表示器付きスキャナの一部を示す斜視図である。
【図１１】図１１は、本発明の第３の実施の形態の商品販売データ処理装置の表示器を示す斜視図である。
【発明を実施するための形態】
【０００９】
以下、図面を参照して、本発明の実施の形態について詳細に説明する。なお、以下の複数の実施の形態には、同様の構成要素が含まれている。よって、以下では、それら同様の構成要素には共通の符号を付与するとともに、重複する説明を省略する。以下の実施の形態は、商品販売データ処理装置をＰＯＳ（Point of Sales：販売時点管理）端末に適用した例である。なお、図中の矢印ａは、上下方向での上方を示し、図中の矢印ｂは、ＰＯＳ端末及び表示器付きスキャナの前後方向での前方を示し、図中の矢印ｃは、ＰＯＳ端末及び表示器付きスキャナの幅方向（別の言い方をすると左右方向）を示している。
【００１０】
（第１の実施の形態）
まずは、本発明の第１の実施の形態を図１ないし図９に基づいて説明する。
【００１１】
図１ないし図８に示すように、ＰＯＳ端末１は、表示器付きスキャナ２を主体に構成されている。表示器付きスキャナ２は、基体部１０と、表示器としての操作者用表示器１１と、スキャナ１２と、を備えている。基体部１０には、客用表示器３や電子決済部４、情報処理部５（図８）等が一体に取り付けられている。
【００１２】
基体部１０は、第１の筐体１３を有しており、この第１の筐体１３の内部に情報処理部５やレシートプリンタ（図示せず）等が配置されている。第１の筐体１３は、側面視で略扇状の扇状部１３ａと、この扇状部１３ａの上端部から前方へ張り出した張出部１３ｂとを有している。扇状部１３ａは、正面壁１３ｃと、一対の側壁１３ｄと、円弧状に湾曲した湾曲壁１３ｅと、を有している。
【００１３】
正面壁１３ｃには、第１のレシート発行口１３ｆが設けられている。湾曲壁１３ｅは、正面壁１３ｃの上端部から後方斜め下方へ向けて湾曲して延出している。湾曲壁１３ｅには、客用表示器３、電子決済部４、第２のレシート発行口１３ｇが設けられている。レシートプリンタが印字したレシートは、第１のレシート発行口１３ｆ又は第２のレシート発行口１３ｇから発行される。張出部１３ｂには、スキャナ１２及び操作者用表示器１１が回動可能に取り付けられている。また、正面壁１３ｃには、スキャナ１２に対向した凹部１３ｊが形成されている。この凹部１３ｊに、スキャナ１２の一部が挿入されている。
【００１４】
操作者用表示器１１は、操作者１００に対面する表示画面１１ａと、この表示画面１１ａを支持した第２の筐体１１ｂを有する。この操作者用表示器１１は、例えば液晶表示器である。この操作者用表示器１１には、タッチパネルが積層されている。この操作者用表示器１１は、チルト機構１４によって水平方向に沿った軸を中心としてチルト可能となっている。
【００１５】
スキャナ１２は、操作者用表示器１１の下方に配置されている。スキャナ１２は、操作者１００と対面する読取窓１２ａを有し、操作者１００から見て読取窓１２ａの手前側に位置する商品に付された商品識別情報である商品コードを読み取る。この際、操作者１００がスキャナ１２の手前側に商品を移動させる。スキャナ１２は、詳細には、バーコードの形態で商品に付された商品コードを光学的に読み取る。スキャナ１２は、読取窓１２ａが設けられた第３の筐体１２ｂと、この読取窓１２ａを覆った透明パネル１２ｃと、第３の筐体１２ｂの内部に配置されたＣＣＤカメラ（図示せず）と、第３の筐体１２ｂの内部に配置された照明装置（図示せず）と、処理回路部（図示せず）を有する。照明装置は、読取窓１２ａの前方に照明光を照射する。この照明光が商品のバーコードを含む部分によって反射されて第３の筐体１２ｂ内に入射し、ＣＣＤカメラがその入射した反射光を受光することでバーコードを撮像する。そして、処理回路部が、このように撮像されたバーコード画像から商品コードなどの情報を抽出する。基体部１０が平坦な設置面１０１に載置された場合、設置面１０１とスキャナ１２との間に空間Ｓが形成される。この空間Ｓには、例えば、カードリーダライタ等の装置を配置可能である。
【００１６】
スキャナ１２は、詳しくは後述するが、上下方向に沿った回転中心軸２１を中心として、操作者用表示器１１とともに回動可能となっている。読取窓１２ａの回転中心軸２１と直交する方向での向きは、回転中心軸２１と直交する方向での表示画面１１ａの向きと同じとなっている。ここで、図４や図７に、読取窓１２ａの回転中心軸２１と直交する方向での向きを符号ｅの矢印で示し、回転中心軸２１と直交する方向での表示画面１１ａの向きを符号ｄの矢印で示してある。図７は、平面視であるので符号ｄの矢印と符号ｅの矢印とが重複している。また、表示器１１（表示画面１１ａ）が上下方向に沿った状態（図４中に実線で示す）であっても、表示器１１（表示画面１１ａ）が上下方向に対して傾斜した状態（図４中に一点鎖線で示す）であっても、回転中心軸２１と直交する方向での表示画面１１ａの向きは同じである。
【００１７】
操作者用表示器１１とスキャナ１２との筐体に対する連結構造を説明する。図９に示すように、操作者用表示器１１は、連結機構２０によって、上下方向に沿った回転中心軸２１を中心として、第１の筐体１３に回動可能に連結されている。連結機構２０は、操作者用表示器１１に一体に設けられた第１の回動体２２と、第１の筐体１３に設けられ、第１の回動体２２を回動可能に支持した第１の支持部１３ｈと、を有している。
【００１８】
第１の回動体２２は、第１の小径部２２ａと第１の大径部２２ｂとを有して段付き円筒状に形成されており、その軸方向は、上下方向に沿っている。第１の大径部２２ｂは、第１の小径部２２ａの上端部に接続されており、第１の小径部２２ａよりも径が大きい。この第１の大径部２２ｂの上端部に操作者用表示器１１がチルト機構１４を介して取り付けられている。第１の支持部１３ｈは、段付き筒状に形成されており、第１の大径部２２ｂの下面を摺動可能に支持するとともに、第１の小径部２２ａの周面を摺動可能に支持している。第１の回動体２２の中心軸と第１の支持部１３ｈの中心軸とが回転中心軸２１と一致している。
【００１９】
また、第１の回動体２２の側面には、ハーネス用開口２２ｄが形成されている。表示器１１から延出し第１の回動体２２内を通った表示器用ハーネス（図示せず）は、ハーネス用開口２２ｄを通って扇状部１３ａへ配索されている。
【００２０】
スキャナ１２は、連動部２３によって支持されている。連動部２３は、操作者用表示器１１の回動に連動して読取窓１２ａを含むスキャナ１２を表示画面１１ａを含む操作者用表示器１１と同じ方向に回動させる。即ち、連動部２３は、操作者用表示器１１の回動に連動して読取窓１２ａを表示画面１１ａと同じ方向に回動させる。連動部２３は、スキャナ１２に一体に設けられた第２の回動体２４と、第１の筐体１３に設けられ、第２の回動体２４を回動可能に支持した第２の支持部１３ｉと、第１の回動体２２と第２の回動体２４とを連結した連結部２５と、を有する。
【００２１】
第２の回動体２４は、第１の回動体２２の下方に配置されるとともに、第１の回動体２２と同軸上に配置されている。第２の回動体２４は、第２の小径部２４ａと第２の大径部２４ｂとを有して段付き円筒状に形成されており、その軸方向は、上下方向に沿っている。第２の大径部２４ｂは、第２の小径部２４ａの上端部に接続されており、第２の小径部２４ａよりも径が大きい。第２の小径部２４ａの下端部には、スキャナ１２が取り付けられている。第２の支持部１３ｉは、段付き筒状に形成されており、第２の大径部２４ｂの下面を摺動可能に支持するとともに、第１の小径部２２ａの周面を摺動可能に支持している。
【００２２】
連結部２５は、第１の回動体２２の下端部に設けられた複数の凹部２２ｃと、第２の回動体２４の上端部に設けられ各凹部２２ｃに挿入された複数のピン２６と、を有する。凹部２２ｃは、第１の回動体２２の下面から上方へ向けて凹状に形成されている。これらの凹部２２ｃは、第１の回動体２２の中心軸回りに相互に間隔をあけて配置されている。一方、ピン２６は、第２の回動体２４の上面から上方へ延出して設けられている。これらのピン２６は、凹部２２ｃに対応させて、第２の回動体２４の中心軸回りに相互に間隔をあけて配置さている。この連結部２５によって、第１の回動体２２と第２の回動体２４とが連結されている。
【００２３】
また、第２の回動体２４の側面には、ハーネス用開口２４ｄが形成されている。スキャナ１２から延出し第２の回動体２４内を通ったスキャナ用ハーネス（図示せず）は、ハーネス用開口２４ｄを通って扇状部１３ａへ配索されている。
【００２４】
電子決済部４は、非接触ＩＣカード（図示せず）との間で近距離の無線通信を行い決済に係る情報を送受信する。この無線通信は、例えばＲＦＩＤ（Radio Frequency Identification：無線周波数識別）で用いられる近距離無線通信用の電波を用いて行われる。ここで、非接触ＩＣカードには、決済に係る情報として、例えばプリペイド方式の電子マネーの残高、カード識別情報等の情報が記憶されている。
【００２５】
客用表示器３は、例えば液晶表示器である。この客用表示器３は、操作者用表示器１１よりも小さい。
【００２６】
情報処理部５は、例えばＣＰＵ（Central Processing Unit）であり、第１の筐体１３の内部の下部に配置されている。情報処理部５は、記憶部３０（図８）に記憶されたプログラムに従って、各種の演算やＰＯＳ端末１の各部の制御を実行する。記憶部３０は、ＲＯＭ（Read Only Memory）、ＲＡＭ（Random Access Memory）等から構成されている。ＲＯＭは、情報処理部５が実行する各種プログラムや各種データを記憶する。ＲＡＭは、情報処理部５が各種プログラムを実行する際に一時的にデータやプログラムを記憶する。
【００２７】
情報処理部５には、前述したスキャナ１２、操作者用表示器１１、客用表示器３及び電子決済部４とともに、ＨＤＤ（Hard Disk Drive）及び通信インターフェースがバスライン等を介して接続されている。ＨＤＤは、情報処理部５を動作させるプログラムの他、商品コード毎に商品名や単価などの商品情報を記憶する商品マスタファイル、販売データを記憶する売上ファイル等を格納している。
【００２８】
この情報処理部５は、商品コードがスキャナ１２によって読み取られた商品を、記憶部３０のＲＡＭに登録する。詳細には、情報処理部５は、スキャナ１２が読み取った商品コードの入力を受け付け、受け付けた商品コードに対応する商品情報を商品マスタファイルから読み出す。次に、情報処理部５は、商品マスタファイルから読み出した商品情報及び商品の販売量に基づいて当該商品の販売記録を示す販売データを生成してこれをＲＡＭに記憶することにより、当該商品の販売登録を行う。この際、販売データのうち商品名や単価などを操作者用表示器１１及び客用表示器３に表示させる。そして、情報処理部５は、タッチパネルによるタッチ選択により、操作者用表示器１１に表示された締めボタンが選択されると、販売登録した商品のレシート情報を作成し、このレシート情報に基づくレシートをレシートプリンタに印字発行させる。
【００２９】
このような構成において、操作者１００が、回転中心軸２１を中心として、操作者用表示器１１を回動させることで、連動部２３が、操作者用表示器１１の回動に連動してスキャナ１２を操作者用表示器１１と同じ方向に回動させる。よって、例えば、図１に示す形態と図３に示す形態とに選択的に表示器付きスキャナ２を設定することができる。これにより、設置場所に応じて、基体部１０に対する操作者用表示器１１及びスキャナ１２の回動角度を変更できるので、表示器付きスキャナ２を設置場所に応じた形態に容易に設定することができる。
【００３０】
以上説明したように、本実施の形態では、連結機構２０が、表示器付きスキャナ２の上下方向に沿った回転中心軸２１を中心として、操作者用表示器１１を基体部１０に回動可能に連結しており、連動部２３が、操作者用表示器１１の回動に連動してスキャナ１２を表示器と同じ方向に回動させる。したがって、表示器付きスキャナ２及びこの表示器付きスキャナ２を備えたＰＯＳ端末１の設置場所の自由度が大きいという利点がある。
【００３１】
また、本実施の形態では、スキャナ１２は、操作者用表示器１１の下方に配置されている。したがって、操作者１００は、スキャナ１２の読取窓１２ａに商品をかざす際に、操作者用表示器１１に表示される情報を、容易に目視することができる。
【００３２】
また、本実施の形態では、連結機構２０は、操作者用表示器１１に一体に設けられた第１の回動体２２と、基体部１０に設けられ、第１の回動体２２を回動可能に支持した第１の支持部１３ｈと、を有する。そして、連動部２３は、スキャナ１２に一体に設けられた第２の回動体２４と、基体部１０に設けられ、第２の回動体２４を回動可能に支持した第２の支持部１３ｉと、第１の回動体２２と第２の回動体２４とを連結した連結部２５と、を有する。よって、第１の回動体２２の回動が連結部２５によって第２の回動体２４に伝達されて、操作者用表示器１１の回動にスキャナ１２が従動して回動する。
【００３３】
また、本実施の形態では、基体部１０が平坦な設置面１０１に載置された場合、設置面１０１とスキャナ１２との間に空間Ｓが形成される。したがって、その空間Ｓにカードリーダライタ等の各種装置を設置することができる。
【００３４】
（第２の実施の形態）
次に、本発明の第２の実施の形態を図１０に基づいて説明する。本実施の形態は、第１の実施の形態に対して、操作者用表示器１１の回動に連動してスキャナ１２を操作者用表示器１１と同じ方向に回動させる連動部が異なる。本実施の形態では、操作者用表示器１１の第１の筐体１３には、スキャナ１２が一体に設けられており、この第１の筐体１３が連動部として機能する。この場合、第１の回動体２２（図１０では図示せず）は、スキャナ１２の背後に位置して第１の筐体１３に連結されている。
【００３５】
以上説明したように、本実施の形態では、操作者用表示器１１は、表示画面１１ａを支持するとともにスキャナ１２が一体に設けられ連動部として機能する第１の筐体１３を有する。したがって、連動部２３を比較的に簡素な構成で実現することができる。
【００３６】
（第３の実施の形態）
次に、本発明の第３の実施の形態を図１１に基づいて説明する。本実施の形態は、第１の実施の形態に対して、操作者用表示器１１にキーボード４０が一体に設けられている点が異なる。このような構成においても、第１の実施の形態と同様の効果を奏することができる。
【００３７】
なお、本発明は、上記実施の形態に限ることなく本発明の要旨を逸脱しない範囲で他の実施の形態を各種採用することができる。例えば、表示器付きスキャナとしては、客用表示器や電子決済部が設けられておらず、読み取った商品コードを外部装置に出力するものであっても良い。
【符号の説明】
【００３８】
１…ＰＯＳ端末（商品販売データ処理装置）
２…表示器付きスキャナ
５…情報処理部
１０…基体部
１１…操作者用表示器（表示器）
１１ａ…表示画面
１２…スキャナ
１２ａ…読取窓
１３…第１の筐体（筐体）
１３ｈ…第１の支持部
１３ｉ…第２の支持部
２０…連結機構
２１…回転中心軸
２２…第１の回動体
２３…連動部
２４…第２の回動体
２５…連結部
３０…記憶部
１００…操作者
１０１…設置面
Ｓ…空間
【先行技術文献】
【特許文献】
【００３９】
【特許文献１】特許第３６６９６３０号公報
【図１】
0005499114.tif 000002
【図２】
0005499114.tif 000003
【図３】
0005499114.tif 000004
【図４】
0005499114.tif 000005
【図５】
0005499114.tif 000006
【図６】
0005499114.tif 000007
【図７】
0005499114.tif 000008
【図８】
0005499114.tif 000009
【図９】
0005499114.tif 000010
【図１０】
0005499114.tif 000011
【図１１】
0005499114.tif 000012